【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
潜像を形成され得る感光体と本体駆動軸とを備えた電子写真画像形成装置本体に対し、所定の装着経路に沿って装着可能なカートリッジであって、前記装着経路の終端に位置する現像位置と、前記現像位置から前記装着経路とは異なる方へ退避した退避位置と、の間を前記装置本体内において移動可能なカートリッジにおいて、
前記カートリッジが前記現像位置に位置するときに、前記感光体と接触した状態で前記潜像を現像可能な現像剤担持体と、
前記現像剤担持体の回転軸線に対し傾動可能なカップリング部材であって、前記カートリッジが前記現像位置に位置する際に前記本体駆動軸から前記現像剤担持体に駆動伝達可能な基準姿勢と、前記カートリッジが前記装着経路に沿って移動するときに前記本体側駆動軸と係合するために前記現像剤担持体の回転軸線に対して傾斜した装着時姿勢と、前記カートリッジが前記退避位置から前記現像位置へ移動するときに前記本体側駆動軸と係合するための姿勢であって前記装着時姿勢とは異なる方向に前記現像剤担持体の回転軸線に対して傾斜した離間時姿勢と、を取り得るカップリング部材と、
を有し、
前記カートリッジを前記装着経路に沿って装着する過程で、前記カップリング部材の姿勢は前記装着時姿勢から前記基準姿勢へ変化することを特徴とするカートリッジ。
【請求項２】
前記カップリング部材を前記現像剤担持体の回転軸線に対して傾斜させるべく付勢するための付勢部を有することを特徴とする請求項１に記載のカートリッジ。
【請求項３】
前記カップリング部材を前記離間時姿勢に位置させるための第一移動位置と、前記カップリング部材を前記装着時姿勢に位置させるための第二移動位置と、を取り得る移動部を有することを特徴とする請求項２に記載のカートリッジ。
【請求項４】
前記付勢部を有する付勢部材を有することを特徴とする請求項３に記載のカートリッジ。
【請求項５】
前記移動部は、前記第一移動位置および第二移動位置の少なくとも一つの位置において、前記カップリング部材および前記付勢部材の少なくとも一つを付勢できるよう構成されていることを特徴とする請求項４に記載のカートリッジ。
【請求項６】
前記移動部は、前記第一移動位置および第二移動位置の少なくとも一つの位置において、前記カップリング部材および前記付勢部材の少なくとも一つを直接付勢できるよう構成されていることを特徴とする請求項５に記載のカートリッジ。
【請求項７】
前記カップリング部材が前記離間時姿勢をとるときには、前記付勢部が前記カップリングと接触し、前記移動部が前記カップリング部材から離れており、
前記カップリング部材が前記装着時姿勢をとるときには、前記付勢部と前記移動部がともに前記カップリング部材と接触するように構成されたことを特徴とする請求項３乃至６のいずれか１項に記載のカートリッジ。
【請求項８】
前記カップリング部材が、前記離間時姿勢および前記装着時姿勢のいずれの位置においても、前記付勢部と前記移動部がともに前記カップリング部材と接触するように構成されたことを特徴とする請求項３乃至６のいずれか１項に記載のカートリッジ。
【請求項９】
前記付勢部材と、前記移動部を有する移動部材は、別々に設けられており、前記付勢部と前記移動部が独立して移動できるように構成されていることを特徴とする請求項４乃至６のいずれか１項に記載のカートリッジ。
【請求項１０】
前記付勢部材は、前記移動部を有する移動部材に取り付けられており、前記付勢部が前記移動部とともに移動するように構成されていることを特徴とする請求項４乃至６のいずれか１項に記載のカートリッジ。
【請求項１１】
前記移動部が前記付勢部材を付勢できるように構成されたことを特徴とする請求項４乃至６のいずれか１項に記載のカートリッジ。
【請求項１２】
前記カップリング部材が前記装着時姿勢をとるときには、前記移動部が前記付勢部材を付勢し、
前記カップリング部材が前記離間時姿勢をとるときには、前記付勢部が前記カップリング部材を付勢し、前記移動部が前記付勢部材から離れるように構成されたことを特徴とする請求項４乃至６のいずれか１項に記載のカートリッジ。
【請求項１３】
前記付勢部と前記移動部は、単一部品で形成されたことを特徴とする請求項３乃至６のいずれか１項に記載のカートリッジ。
【請求項１４】
前記カップリング部材が前記離間時姿勢をとるときには、前記付勢部が前記カップリング部材を付勢し、前記移動部が前記カップリング部材から離れ、
前記カップリング部材が前記装着時姿勢をとるときには、前記付勢部が前記カップリング部材から離れ、前記移動部が前記カップリング部材を付勢するように構成されたことを特徴とする請求項３乃至６のいずれか１項に記載のカートリッジ。
【請求項１５】
前記現像剤担持体の軸線方向に沿って見たときに、前記離間時姿勢に位置するときの前記カップリング部材の回転軸線と、前記装着時姿勢に位置するときの前記カップリング部材の回転軸線と、は実質的に交差していることを特徴とする請求項１乃至１４のいずれか１項に記載のカートリッジ。
【請求項１６】
前記現像剤担持体の軸線方向に沿って見たときに、前記離間時姿勢に位置するときの前記カップリング部材の回転軸線と、前記装着時姿勢に位置するときの前記カップリング部材の回転軸線と、が為す角度は、約２０度から約１５０度の範囲のいずれかの値であることを特徴とする請求項１乃至１４のいずれか１項に記載のカートリッジ。
【請求項１７】
前記現像剤担持体の軸線方向に沿って見たときに、前記離間時姿勢に位置するときの前記カップリング部材の回転軸線と、前記装着時姿勢に位置するときの前記カップリング部材の回転軸線と、が為す角度は、約３０度から約１２０度の範囲のいずれかの値であることを特徴とする請求項１６に記載のカートリッジ。
【請求項１８】
前記現像剤担持体の軸線方向に沿って見たときに、前記カップリング部材の傾斜中心と前記現像剤担持体とを結んだ直線と、前記離間時姿勢に位置するときの前記カップリング部材の回転軸線と、が為す角度は、約３０度以内であることを特徴とする請求項１乃至１７に記載のカートリッジ。
【請求項１９】
前記現像剤担持体の軸線方向に沿って見たときに、前記カップリング部材の傾斜中心と前記現像剤担持体とを結んだ直線と、前記装着時姿勢に位置するときの前記カップリング部材の回転軸線と、が為す角度は、約４５度から約９５度までの範囲のいずれかの値であることを特徴とする請求項１乃至１８のいずれか１項に記載のカートリッジ。
【請求項２０】
前記離間時姿勢に位置するときの前記カップリング部材の回転軸線と、前記基準位置に位置するときの前記カップリング部材の回転軸線と、が為す角度は、約２０度から約６０度の範囲のいずれかの値であることを特徴とする請求項１乃至１９のいずれか１項に記載のカートリッジ。
【請求項２１】
前記装着時姿勢に位置するときの前記カップリング部材の回転軸線と、前記基準位置に位置するときの前記カップリング部材の回転軸線と、が為す角度は、約２０度から約６０度の範囲のいずれかの値であることを特徴とする請求項１乃至２０のいずれか１項に記載のカートリッジ。
【請求項２２】
前記付勢部は、前記カップリング部材を直接付勢できるように構成されていることを特徴とする請求項２乃至６のいずれか１項に記載のカートリッジ。
【請求項２３】
前記付勢部材は、付勢用弾性部材を有することを特徴とする請求項４に記載のカートリッジ。
【請求項２４】
前記付勢部は前記付勢用弾性部材の一部に設けられたことを特徴とする請求項２３に記載のカートリッジ。
【請求項２５】
前記付勢用弾性部材は、ばねであることを特徴とする請求項２３または２４に記載のカートリッジ。
【請求項２６】
前記移動部は、前記カップリング部材を前記基準位置に位置させるための移動基準位置を取り得ることを特徴とする請求項３乃至６のいずれか１項に記載のカートリッジ。
【請求項２７】
前記移動部に関して、前記移動基準位置と前記第二移動位置とは同じ位置であることを特徴とする請求項２６に記載のカートリッジ。
【請求項２８】
前記移動部を有する移動部材を有することを特徴とする請求項３乃至６および２６および２７のいずれか１項に記載のカートリッジ。
【請求項２９】
前記移動部材は、移動用弾性部材を有することを特徴とする請求項２８に記載のカートリッジ。
【請求項３０】
前記移動用弾性部材は、前記移動部を有することを特徴とする請求項２９に記載のカートリッジ。
【請求項３１】
前記移動用弾性部材は、ばねであることを特徴とする請求項２９または３０に記載のカートリッジ。
【請求項３２】
前記移動部材は回動可能であることを特徴とする請求項２８乃至３１のいずれか１項に記載のカートリッジ。
【請求項３３】
前記移動部材は、前記移動部を前記第一位置から前記第二位置へ移動させるための力を受ける力受け部を有していることを特徴とする請求項２８乃至３２のいずれか１項に記載のカートリッジ。
【請求項３４】
前記移動部材は、その一端に前記力受け部を、その他端に前記移動部を、有することを特徴とする請求項３３に記載のカートリッジ。
【請求項３５】
前記現像剤担持体の回転軸線に沿って前記カートリッジを見た場合、前記力受け部は前記現像ブレードを基準として前記現像剤担持体とは実質的に逆側に位置していることを特徴とする請求項３３または３４に記載のカートリッジ。
【請求項３６】
前記カップリング部材は、前記本体駆動軸から回転力を受けるための回転力受け部を備えた自由端部と、前記現像剤担持体に回転力を伝達するための回転力伝達部を備えた結合端部と、前記自由端部と前記結合端部とを繋いだ繋ぎ部と、を有することを特徴とする請求項１乃至３５のいずれか１項に記載のカートリッジ。
【請求項３７】
前記カップリング部材は、前記離間時姿勢および／または前記装着時姿勢を取るときに、前記カートリッジに対して位置決めされる被位置決め部を有することを特徴とする請求項３６に記載のカートリッジ。
【請求項３８】
前記被位置決め部は、前記繋ぎ部に設けられたことを特徴とする請求項３７に記載のカートリッジ。
【請求項３９】
前記被位置決め部は、前記結合端部に設けられたことを特徴とする請求項３７に記載のカートリッジ。
【請求項４０】
前記被位置決め部は、前記結合端部から突出して設けられていることを特徴とする請求項３９に記載のカートリッジ。
【請求項４１】
前記カップリング部材を前記離間時姿勢に位置決めするために前記被位置決め部を位置決めするための離間時位置決め部を有することを特徴とする請求項３７乃至４０のいずれか１項に記載のカートリッジ。
【請求項４２】
前記離間時位置決め部を備えたカートリッジ枠体を有することを特徴とする請求項４１に記載のカートリッジ。
【請求項４３】
前記カートリッジ枠体が、前記現像剤担持体を支持するための支持部材を有し、
前記支持部材が、前記離間時位置決め部を有することを特徴とする請求項４２に記載のカートリッジ。
【請求項４４】
前記カップリング部材を前記装着時姿勢に位置決めするために前記被位置決め部を位置決めするための装着時位置決め部を有することを特徴とする請求項３７乃至４３のいずれか１項に記載のカートリッジ。
【請求項４５】
前記装着時位置決め部を備えたカートリッジ枠体を有することを特徴とする請求項４４に記載のカートリッジ。
【請求項４６】
前記カートリッジ枠体が、前記現像剤担持体を支持するための支持部材を有し、
前記支持部材が、前記装着時位置決め部を有することを特徴とする請求項４５に記載のカートリッジ。
【請求項４７】
前記繋ぎ部の少なくとも一部の最大回転半径は、前記現像剤担持体の回転軸線と前記回転力受け部との間の距離よりも、小さく構成されていることを特徴とする請求項３６乃至４６のいずれか１項に記載のカートリッジ。
【請求項４８】
前記付勢部は、前記繋ぎ部を付勢するように構成されていることを特徴とする請求項３６乃至４７のいずれか１項に記載のカートリッジ。
【請求項４９】
前記現像剤担持体を回転可能に支持するカートリッジ枠体と、
前記カートリッジ枠体の端部に取り付けられた端部部材と、
を有し、
前記移動部を有する移動部材および前記付勢部を有する付勢部材は、共に、前記端部部材に設けられていることを特徴とする請求項３に記載のカートリッジ。
【手続補正２】
【補正対象書類名】明細書
【補正対象項目名】００１３
【補正方法】変更
【補正の内容】
【００１３】
本出願に係る発明は、潜像を形成され得る感光体と本体駆動軸とを備えた電子写真画像形成装置本体に対し、所定の装着経路に沿って装着可能なカートリッジであって、前記装着経路の終端に位置する現像位置と、前記現像位置から前記装着経路とは異なる方へ退避した退避位置と、の間を前記装置本体内において移動可能なカートリッジにおいて、前記カートリッジが前記現像位置に位置するときに、前記感光体と接触した状態で前記潜像を現像可能な現像剤担持体と、前記現像剤担持体の回転軸線に対し傾動可能なカップリング部材であって、前記カートリッジが前記現像位置に位置する際に前記本体駆動軸から前記現像剤担持体に駆動伝達可能な基準姿勢と、前記カートリッジが前記装着経路に沿って移動するときに前記本体側駆動軸と係合するために前記現像剤担持体の回転軸線に対して傾斜した装着時姿勢と、前記カートリッジが前記退避位置から前記現像位置へ移動するときに前記本体側駆動軸と係合するための姿勢であって前記装着時姿勢とは異なる方向に前記現像剤担持体の回転軸線に対して傾斜した離間時姿勢と、を取り得るカップリング部材と、を有し、前記カートリッジを前記装着経路に沿って装着する過程で、前記カップリング部材の姿勢は前記装着時姿勢から前記基準姿勢へ変化するカートリッジである。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】